(57)【特許請求の範囲】
【請求項１】
屋根に取り付け可能な取付部を備えると共に雪止アングルを嵌入する嵌入溝を備えた金具本体と、この金具本体の嵌入溝に雪止アングルを嵌入した際に、この嵌入溝に生じる雪止アングルとの隙間に差込することで雪止アングルに圧接してこの雪止アングルを嵌入溝に圧着せしめる差込体とから成り、前記差込体若しくは前記嵌入溝に、この差込体を前記嵌入溝に生じる前記雪止アングルとの隙間に所定深さ差込した際にこの嵌入溝若しくは差込体に係止して差込体を嵌入溝より抜け止め状態に保持する抜け止め係止部を設けたことを特徴とする雪止アングル固定金具。
【請求項２】
前記差込体若しくは前記嵌入溝に突起部を設けてこの突起部を前記抜け止め係止部とし、この抜け止め係止部が係止する係止受部を前記金具本体の前記嵌入溝に若しくは差込体に設けて、この差込体を前記嵌入溝に生じる前記雪止アングルとの隙間に所定深さ差込した際に前記抜け止め係止部が係止受部に係止して差込体を嵌入溝より抜け止め状態に保持する構成としたことを特徴とする請求項１記載の雪止アングル固定金具。
【請求項３】
屋根に取り付け可能な取付部を備えると共に雪止アングルを嵌入する嵌入溝を備えた金具本体と、この金具本体の嵌入溝に雪止アングルを嵌入した際に、この嵌入溝に生じる雪止アングルとの隙間に差込することで雪止アングルに圧接してこの雪止アングルを嵌入溝に圧着せしめる差込体とから成り、前記差込体に、この差込体を前記嵌入溝に生じる前記雪止アングルとの隙間に所定深さ差込した際に、嵌入状態の雪止アングルの嵌入溝からの嵌脱を阻止するアングルストッパ部を設けたことを特徴とする雪止アングル固定金具。
【請求項４】
弾性を有する板材を略Ｖ字状に折曲して前記差込体を構成すると共に、この差込体の尖鋭形状をなす折曲部が、前記嵌入溝に生じる前記雪止アングルとの隙間への差込先端部となる構成とし、この略Ｖ字状の差込体の折曲部を境にした片側の板部分を略Ｌ字形に折曲してこのＬ形板部を前記雪止アングルに当接するアングル当接部とすると共に、このアングル当接部の先端側突出板部を、この差込体を前記隙間に所定深さ差込した際に嵌入状態の雪止アングルの嵌入溝からの嵌脱を阻止する前記アングルストッパ部としたことを特徴とする請求項３記載の雪止アングル固定金具。
【請求項５】
前記差込体は、前記嵌入溝に生じる前記雪止アングルとの隙間への差込先端部を尖鋭形状に形成して、この差込体の前記隙間に対する差込度合いが深くなるにつれてこの差込体が嵌入溝に嵌入された前記雪止アングルに対して圧接度合いを増すように構成したことを特徴とする請求項１〜４のいずれか１項に記載の雪止アングル固定金具。
【請求項６】
弾性を有する板材を略Ｖ字状に折曲して前記差込体を構成すると共に、この差込体の尖鋭形状をなす折曲部が、前記嵌入溝に生じる前記雪止アングルとの隙間への差込先端部となるように構成して、この差込体を前記差込先端部から前記隙間に嵌入すると、この差込体の隙間に対する差込度合いが深くなるにつれてこの差込体が嵌入溝に嵌入した前記雪止アングルに強く圧接して雪止アングルを嵌入溝に圧着するように構成したことを特徴とする請求項１〜５のいずれか１項に記載の雪止アングル固定金具。
【請求項７】
屋根に取り付け可能な取付部を備えると共に雪止アングルを嵌入する嵌入溝を備えた金具本体と、この金具本体の嵌入溝に雪止アングルを嵌入した際に、この嵌入溝に生じる雪止アングルとの隙間に差込する差込体とから成り、前記差込体若しくは前記嵌入溝に、この差込体を前記隙間に所定深さ差込した際にこの嵌入溝若しくは差込体に係止して差込体を嵌入溝より抜け止め状態に保持する抜け止め係止部を設けると共に、この抜け止め係止部により差込体を抜け止め状態に保持した際、嵌入状態の前記雪止アングルの嵌入溝からの嵌脱を阻止するアングルストッパ部を前記差込体に設けたことを特徴とする雪止アングル固定金具。
【請求項８】
前記差込体は、前記嵌入溝に生じる前記雪止アングルとの隙間への差込先端部を尖鋭形状に形成したことを特徴とする請求項７記載の雪止アングル固定金具。
【請求項９】
前記差込体若しくは前記嵌入溝に突起部を設けてこの突起部を前記抜け止め係止部とし、この抜け止め係止部が係止する係止受部を前記金具本体の前記嵌入溝の上部に若しくは差込体に設けて、この差込体を前記嵌入溝に生じる前記雪止アングルとの隙間に所定深さ差込した際に前記抜け止め係止部が係止受部に係止して差込体を嵌入溝より抜け止め状態に保持する構成としたことを特徴とする請求項７，８のいずれか１項に記載の雪止アングル固定金具。
【請求項１０】
弾性を有する板材を略Ｖ字状に折曲して前記差込体Ｂを構成すると共に、この差込体の尖鋭形状をなす折曲部が、前記嵌入溝に生じる前記雪止アングルとの隙間への差込先端部となる構成とし、この略Ｖ字状の差込体の折曲部を境にした片側の板部分を略Ｌ字形に折曲してこのＬ形板部を前記雪止アングルに当接するアングル当接部とすると共に、このアングル当接部の先端側突出板部を、この差込体を前記隙間に所定深さ差込して前記抜け止め係止部により抜け止め状態に保持した際に嵌入状態の雪止アングルの嵌入溝からの嵌脱を阻止する前記アングルストッパ部としたことを特徴とする請求項７〜９のいずれか１項に記載の雪止アングル固定金具。
【発明の詳細な説明】
【技術分野】
【０００１】
本発明は、屋根上に雪止アングルを固定するために用いる雪止アングル固定金具に関するものである。
【背景技術】
【０００２】
従来のこの種雪止アングル固定金具は、例えば特許第３３３７４０６号（特許文献１）のように、屋根に取り付け可能な取付部を備えた金具本体に、雪止アングルを嵌入する嵌入溝を備えると共に、この嵌入溝の溝開口部を塞ぐように配設可能な押え部材を金具本体にボルト止めした構成とされ、前記嵌入溝に雪止アングルを嵌入した上で押え部材を金具本体に強くボルト締めすることにより、押え部材が雪止アングルを押え込んで雪止アングルが嵌脱不能状態に固定されるように構成されている。
【０００３】
【特許文献１】特許第３３３７４０６号公報
【発明の開示】
【発明が解決しようとする課題】
【０００４】
本発明は、上記特許文献１のような従来の雪止アングル固定金具とは異なる雪止アングルの固定構造を有するものであって、特許文献１よりも極めて容易に雪止アングルを固定可能となる画期的な雪止アングル固定金具を提供するものである。
【課題を解決するための手段】
【０００５】
添付図面を参照して本発明の要旨を説明する。
【０００６】
屋根に取り付け可能な取付部１を備えると共に雪止アングル２を嵌入する嵌入溝３を備えた金具本体Ａと、この金具本体Ａの嵌入溝３に雪止アングル２を嵌入した際に、この嵌入溝３に生じる雪止アングル２との隙間４に差込することで雪止アングル２に圧接してこの雪止アングル２を嵌入溝３に圧着せしめる差込体Ｂとから成り、前記差込体Ｂ若しくは前記嵌入溝３に、この差込体Ｂを前記嵌入溝３に生じる前記雪止アングル２との隙間４に所定深さ差込した際にこの嵌入溝３若しくは差込体Ｂに係止して差込体Ｂを嵌入溝３より抜け止め状態に保持する抜け止め係止部６を設けたことを特徴とする雪止アングル固定金具に係るものである。
【０００７】
また、前記差込体Ｂ若しくは前記嵌入溝３に突起部６Ａを設けてこの突起部６Ａを前記抜け止め係止部６とし、この抜け止め係止部６が係止する係止受部７を前記金具本体Ａの前記嵌入溝３に若しくは差込体Ｂに設けて、この差込体Ｂを前記嵌入溝３に生じる前記雪止アングル２との隙間４に所定深さ差込した際に前記抜け止め係止部６が係止受部７に係止して差込体Ｂを嵌入溝３より抜け止め状態に保持する構成としたことを特徴とする請求項１記載の雪止アングル固定金具に係るものである。
【０００８】
また、屋根に取り付け可能な取付部１を備えると共に雪止アングル２を嵌入する嵌入溝３を備えた金具本体Ａと、この金具本体Ａの嵌入溝３に雪止アングル２を嵌入した際に、この嵌入溝３に生じる雪止アングル２との隙間４に差込することで雪止アングル２に圧接してこの雪止アングル２を嵌入溝３に圧着せしめる差込体Ｂとから成り、前記差込体Ｂに、この差込体Ｂを前記嵌入溝３に生じる前記雪止アングル２との隙間４に所定深さ差込した際に、嵌入状態の雪止アングル２の嵌入溝３からの嵌脱を阻止するアングルストッパ部８を設けたことを特徴とする雪止アングル固定金具に係るものである。
【０００９】
また、弾性を有する板材９を略Ｖ字状に折曲して前記差込体Ｂを構成すると共に、この差込体Ｂの尖鋭形状をなす折曲部が、前記嵌入溝３に生じる前記雪止アングル２との隙間４への差込先端部５となる構成とし、この略Ｖ字状の差込体Ｂの折曲部を境にした片側の板部分を略Ｌ字形に折曲してこのＬ形板部を前記雪止アングル２に当接するアングル当接部10とすると共に、このアングル当接部10の先端側突出板部を、この差込体Ｂを前記隙間４に所定深さ差込した際に嵌入状態の雪止アングル２の嵌入溝３からの嵌脱を阻止する前記アングルストッパ部８としたことを特徴とする請求項３記載の雪止アングル固定金具に係るものである。
【００１０】
また、前記差込体Ｂは、前記嵌入溝３に生じる前記雪止アングル２との隙間４への差込先端部５を尖鋭形状に形成して、この差込体Ｂの前記隙間４に対する差込度合いが深くなるにつれてこの差込体Ｂが嵌入溝３に嵌入された前記雪止アングル２に対して圧接度合いを増すように構成したことを特徴とする請求項１〜４のいずれか１項に記載の雪止アングル固定金具に係るものである。
【００１１】
また、弾性を有する板材９を略Ｖ字状に折曲して前記差込体Ｂを構成すると共に、この差込体Ｂの尖鋭形状をなす折曲部が、前記嵌入溝３に生じる前記雪止アングル２との隙間４への差込先端部５となるように構成して、この差込体Ｂを前記差込先端部５から前記隙間４に嵌入すると、この差込体Ｂの隙間４に対する差込度合いが深くなるにつれてこの差込体Ｂが嵌入溝３に嵌入した前記雪止アングル２に強く圧接して雪止アングル２を嵌入溝３に圧着するように構成したことを特徴とする請求項１〜５のいずれか１項に記載の雪止アングル固定金具に係るものである。
【００１２】
また、屋根に取り付け可能な取付部１を備えると共に雪止アングル２を嵌入する嵌入溝３を備えた金具本体Ａと、この金具本体Ａの嵌入溝３に雪止アングル２を嵌入した際に、この嵌入溝３に生じる雪止アングル２との隙間４に差込する差込体Ｂとから成り、前記差込体Ｂ若しくは前記嵌入溝３に、この差込体Ｂを前記隙間４に所定深さ差込した際にこの嵌入溝３若しくは差込体Ｂに係止して差込体Ｂを嵌入溝３より抜け止め状態に保持する抜け止め係止部６を設けると共に、この抜け止め係止部６により差込体Ｂを抜け止め状態に保持した際、嵌入状態の前記雪止アングル２の嵌入溝３からの嵌脱を阻止するアングルストッパ部８を前記差込体Ｂに設けたことを特徴とする雪止アングル固定金具に係るものである。
【００１３】
また、前記差込体Ｂは、前記嵌入溝３に生じる前記雪止アングル２との隙間４への差込先端部５を尖鋭形状に形成したことを特徴とする請求項７記載の雪止アングル固定金具に係るものである。
【００１４】
また、前記差込体Ｂ若しくは前記嵌入溝３に突起部６Ａを設けてこの突起部６Ａを前記抜け止め係止部６とし、この抜け止め係止部６が係止する係止受部７を前記金具本体Ａの前記嵌入溝３の上部に若しくは差込体Ｂに設けて、この差込体Ｂを前記嵌入溝３に生じる前記雪止アングル２との隙間４に所定深さ差込した際に前記抜け止め係止部６が係止受部７に係止して差込体Ｂを嵌入溝３より抜け止め状態に保持する構成としたことを特徴とする請求項７，８のいずれか１項に記載の雪止アングル固定金具に係るものである。
【００１５】
また、弾性を有する板材９を略Ｖ字状に折曲して前記差込体Ｂを構成すると共に、この差込体Ｂの尖鋭形状をなす折曲部が、前記嵌入溝３に生じる前記雪止アングル２との隙間４への差込先端部５となる構成とし、この略Ｖ字状の差込体Ｂの折曲部を境にした片側の板部分を略Ｌ字形に折曲してこのＬ形板部を前記雪止アングル２に当接するアングル当接部10とすると共に、このアングル当接部10の先端側突出板部を、この差込体Ｂを前記隙間４に所定深さ差込して前記抜け止め係止部６により抜け止め状態に保持した際に嵌入状態の雪止アングル２の嵌入溝３からの嵌脱を阻止する前記アングルストッパ部８としたことを特徴とする請求項７〜９のいずれか１項に記載の雪止アングル固定金具に係るものである。
【発明の効果】
【００１６】
請求項１記載の発明は上述のように構成したから、ボルト締めなどの操作を要することなく、単に、嵌入溝に生じる雪止アングルとの隙間に差込体を差込するだけの所謂ワンタッチ操作で雪止アングルを嵌入溝に圧着して金具本体に固定でき、しかも、差込体が、嵌入溝に生じる雪止アングルとの隙間に差込された状態が抜け止め保持されて、確実に雪止アングルの嵌入溝への固定状態が保持されることになる極めて実用性に秀れた画期的な雪止アングル固定金具となる。
【００１７】
また、請求項２記載の発明においては、記作用・効果を確実に発揮する抜け止め係止部並びにこの抜け止め係止部による抜け止め係止構造を簡易に設計実現可能となる一層実用性に秀れた構成の雪止アングル固定金具となる。
【００１８】
また、請求項３記載の発明は上述のように構成したから、ボルト締めなどの操作を要することなく、単に、嵌入溝に生じる雪止アングルとの隙間に差込体を差込するだけの所謂ワンタッチ操作で雪止アングルを嵌入溝に圧着して金具本体に固定でき、しかも、差込体の圧接作用による雪止アングルの嵌入溝への圧着に加えて、アングルストッパ部が雪止アングルの嵌脱を阻止するので、一層確固に雪止アングルを固定できることになる極めて実用性に秀れた構成の雪止アングル固定金具となる。
【００１９】
また、請求項４記載の発明においては、板材を折曲形成することによって軽量・コンパクトで取り扱い性に秀れた差込体を簡易に設計実現可能となると共に、前記作用・効果を確実に発揮するアングルストッパ部を簡易に設計実現可能となる一層実用性に秀れた構成の雪止アングル固定金具となる。
【００２０】
また、請求項５記載の発明においては、差込体の差込先端部を前記隙間に容易に差込操作できる上に、差込体を差込することで雪止アングルを嵌入溝に圧着する構成を簡易に設計実現可能となる一層実用性に秀れた構成の雪止アングル固定金具となる。
【００２１】
また、請求項６記載の発明においては、板材を折曲形成することによって軽量・コンパクトで取り扱い性に秀れた差込体を簡易に設計実現可能となると共に、嵌入溝に生じる雪止アングルとの隙間に差込体を差込することで雪止アングルを嵌入溝に圧着する構成を簡易に設計実現可能となる一層実用性に秀れた構成の雪止アングル固定金具となる。
【００２２】
また、請求項７記載の発明は上述のように構成したから、ボルト締めなどの操作を要することなく、単に、嵌入溝に生じる雪止アングルとの隙間に差込体を差込して抜け止め係止部を係止するだけの所謂ワンタッチ操作で、アングルストッパ部により雪止アングルを嵌入溝より嵌脱不能状態に保持して金具本体に固定できる極めて実用性に秀れた画期的な雪止アングル固定金具となる。
【００２３】
また、請求項８記載の発明においては、差込体の差込先端部を前記隙間に容易に差込操作できる一層実用性に秀れた構成の雪止アングル固定金具となる。
【００２４】
また、請求項９記載の発明においては、前記作用・効果を確実に発揮する抜け止め係止部並びにこの抜け止め係止部による隙間からの抜け止め構造を簡易に設計実現可能となる一層実用性に秀れた構成の雪止アングル固定金具となる。
【００２５】
また、請求項１０記載の発明においては、板材を折曲形成することによって軽量・コンパクトで取り扱い性に秀れた差込体を簡易に設計実現可能となると共に、前記作用・効果を確実に発揮するアングルストッパ部を簡易に設計実現可能となる一層実用性に秀れた構成の雪止アングル固定金具となる。
【発明を実施するための最良の形態】
【００２６】
好適と考える本発明の実施形態（発明をどのように実施するか）を、図面に基づいて本発明の作用を示して簡単に説明する。
【００２７】
取付部１を介して金具本体Ａを屋根に取り付けすることができる。
【００２８】
また、この金具本体Ａの嵌入溝３に雪止アングル２を嵌入し、この際に生じる嵌入溝３の雪止アングル２との隙間４に差込体Ｂを差込することで、金具本体Ａ（嵌入溝３）に雪止アングル２を固定することができる。
【００２９】
具体的には、嵌入溝３の雪止アングル２との隙間４に差込体Ｂを差込すると、差込体Ｂが雪止アングル２に圧接してこの雪止アングル２が嵌入溝３に圧着固定するか、若しくは差込体Ｂが前記隙間４に所定深さ差込みした際に、この嵌入溝３若しくは差込体Ｂに抜け止め係止部６が係止して差込体Ｂが嵌入溝３より抜け止め状態となり、これにより差込体Ｂに設けたアングルストッパ部８が嵌入溝３に嵌入している雪止アングル２の嵌脱を阻止することとなって、雪止アングル２が嵌入溝３（金具本体Ａ）に固定される。
【００３０】
従って、ボルト締めなどの操作を要することなく、単に、嵌入溝３に生じる雪止アングル２との隙間４に差込体Ｂを差込するだけの所謂ワンタッチ操作で雪止アングル２を金具本体Ａに固定することができるので、雪止アングル２の取付作業性に秀れる。
【００３１】
また、例えば、前記差込体Ｂは、前記嵌入溝３に生じる前記雪止アングル２との隙間４への差込先端部５を尖鋭形状に形成すれば、尖鋭形状の差込体Ｂの差込先端部５を前記隙間４に容易に差込操作でき、更に例えば、この差込体Ｂの前記隙間４に対する差込度合いが深くなるにつれてこの差込体Ｂが嵌入溝３に嵌入された前記雪止アングル２に対して圧接度合いを増すように構成すれば、差込体Ｂを差込することで雪止アングル２を嵌入溝３に圧着固定する構成を簡易に設計実現可能となる。
【００３２】
また、例えば、弾性を有する板材９を略Ｖ字状に折曲して前記差込体Ｂを構成すると共に、この差込体Ｂの尖鋭形状をなす折曲部が、前記嵌入溝３に生じる前記雪止アングル２との隙間４への差込先端部５となるように構成して、この差込体Ｂを前記差込先端部５から前記隙間４に嵌入すると、この差込体Ｂの隙間４に対する差込度合いが深くなるにつれてこの差込体Ｂが嵌入溝３に嵌入した前記雪止アングル２に強く圧接して雪止アングル２を嵌入溝３に圧着するように構成すれば、軽量・コンパクトで取り扱い性に秀れた差込体Ｂを板材９を折曲形成することによって簡易に設計実現可能となると共に、隙間４に差込することだけで雪止アングル２を嵌入溝３に圧着する構成の差込体Ｂを簡易に設計実現可能となる。
【００３３】
また、例えば、前記差込体Ｂ若しくは前記嵌入溝３に、この差込体Ｂを前記嵌入溝３に生じる前記雪止アングル２との隙間４に所定深さ差込した際にこの嵌入溝３若しくは差込体Ｂに係止して差込体Ｂを嵌入溝３より抜け止め状態に保持する抜け止め係止部６を設ければ、この抜け止め係止部６によって差込体Ｂが隙間４に差込された状態が抜け止め保持されるために、確実に雪止アングル２の嵌入溝３への固定状態が保持されることになる。
【００３４】
また、例えば、前記差込体Ｂに、この差込体Ｂを前記嵌入溝３に生じる前記雪止アングル２との隙間４に所定深さ差込した際に、嵌入状態の雪止アングル２の嵌入溝３からの嵌脱を阻止するアングルストッパ部８を設ければ、差込体Ｂの圧接作用による雪止アングル２の嵌入溝３への圧着に加えて、アングルストッパ部８が雪止アングル２の嵌脱を阻止することになるので、一層確固に雪止アングル２を固定できる。
【００３５】
また、例えば、前記差込体Ｂ若しくは前記嵌入溝３に突起部６Ａを設けてこの突起部６Ａを前記抜け止め係止部６とし、この抜け止め係止部６が係止する係止受部７を前記金具本体Ａの前記嵌入溝３に若しくは差込体Ｂに設けて、この差込体Ｂを前記嵌入溝３に生じる前記雪止アングル２との隙間４に所定深さ差込した際に前記抜け止め係止部６が係止受部７に係止して差込体Ｂを嵌入溝３より抜け止め状態に保持する構成とすれば、前記作用・効果を確実に発揮する抜け止め係止部６並びにこの抜け止め係止部６による差込体Ｂの抜け止め係止構造を簡易に設計実現可能となる。
【００３６】
また、例えば、弾性を有する板材９を略Ｖ字状に折曲して前記差込体Ｂを構成すると共に、この差込体Ｂの尖鋭形状をなす折曲部が、前記嵌入溝３に生じる前記雪止アングル２との隙間４への差込先端部５となる構成とし、この略Ｖ字状の差込体Ｂの折曲部を境にした片側の板部分を略Ｌ字形に折曲してこのＬ形板部を前記雪止アングル２に当接するアングル当接部10とすると共に、このアングル当接部10の先端側突出板部を、この差込体Ｂを前記隙間４に所定深さ差込した際に嵌入状態の雪止アングル２の嵌入溝３からの嵌脱を阻止する前記アングルストッパ部８とすれば、軽量・コンパクトで取り扱い性に秀れた差込体Ｂを板材９を折曲形成することによって簡易に設計実現可能となると共に、前記作用・効果を確実に発揮するアングルストッパ部８を簡易に設計実現可能となる。
【実施例１】
【００３７】
本発明の具体的な実施例１について図１〜図６に基づいて説明する。
【００３８】
本実施例は、折版構造屋根に取り付け可能な雪止アングル固定金具に適用している。
【００３９】
具体的には、金具本体Ａの上部に雪止アングル２を上方より差込嵌入する嵌入溝３を設け、この金具本体Ａの下部に折版構造屋根に取り付け可能な取付部１を設けている。
【００４０】
更に具体的には、図１，図２に示すように金属製の板材を断面略コ字状に折曲して、天板部13の両側に側板部12が対向状態にして立設状態に配され、図６に示すように各側板部12の下部に突合せ縁部11が内向きで配される形状の金具本体Ａを構成している。
【００４１】
また、この金具本体Ａは、自身の弾性により対向する突合せ縁部11の対向間隔が広狭自在となるように構成すると共に、対向両側の側板部12間に締付ボルト14を架設して、この締付ボルト14の締緩調整により突合せ縁部11の対向間隔を広狭調整し得る前記取付部１を構成し、この対向する突合せ縁部11で折版構造屋根の凸条部20を締付挟持することにより、金具本体Ａを折版構造屋根に取り付けする構成としている。
【００４２】
従って、左右の突合せ縁部11間に折版構造屋根の凸条部20を配設し、締付ボルト14を締付回動若しくはこの締付ボルト14に螺着したナット14Ａを締付回動して、天板部13に対して両側の側板部12を内側へ撓ませるように締め上げ前記突合せ縁部11の対向間隔を狭め、凸条部20をこの突合せ縁部11により締付挟持固定する構成としている。
【００４３】
また、この金具本体Ａの天板部13の中程から両側の側板部12にかけてを一文字状に貫通切欠してこの切欠部を前記嵌入溝３とし、この嵌入溝３に雪止アングル２の折曲部を境にした一側（片側）板部を垂設状態にして嵌入すると、他側板部が天板部13上に水平に配置するように構成している。
【００４４】
また、この嵌入溝３は、雪止アングル２の板厚幅よりも幅広な溝幅を有するように構成し、この嵌入溝３に雪止アングル２の一側（垂下）板部を嵌入すると、この雪止アングル２の一側板部と嵌入溝３とには隙間４を生じるように構成している。
【００４５】
本実施例は、この金具本体Ａの嵌入溝３に雪止アングル２を嵌入した際に、この嵌入溝３に生じる雪止アングル２との隙間４に差込することで雪止アングル２に圧接してこの雪止アングル２を嵌入溝３に圧着させる差込体Ｂを備えている。
【００４６】
差込体Ｂは、図２に示すように弾性を有する細帯状の金属製板材９を略Ｖ字状に折曲して構成すると共に、この差込体Ｂの尖鋭形状をなす折曲部が前記嵌入溝３に生じる前記雪止アングル２との隙間４への差込先端部５となるように構成している。また、この差込体Ｂは、差込先端部５を境にしたこの差込先端部５付近の両側の板部分が重合する形状に形成して、差込先端部５を前記隙間４に差込操作し易い構成としている。
【００４７】
また、この差込体Ｂは、この差込体Ｂを構成する板材９の板面方向が、嵌入溝３の溝長さ方向と平行となるようにして差込先端部５を前記隙間４に差込するが、この差込体Ｂの差込基端側が嵌入溝３の溝幅より小さく且つ前記隙間４の幅より大きくなる略Ｖ字状に折曲形成している。
【００４８】
従って、この差込体Ｂを前記差込先端部５から嵌入溝３の前記雪止アングル２との隙間４に嵌入すると、この差込体Ｂの隙間４に対する差込度合いが深くなるにつれてこの差込体Ｂの差込基端側が嵌入溝３と雪止アングル２とに強く圧接することになり、これにより雪止アングル２が嵌入溝３に圧着固定するように構成している（図６参照。）。
【００４９】
また、本実施例では、差込体Ｂに、この差込体Ｂを前記嵌入溝３に生じる前記雪止アングル２との隙間４に所定深さ差込した際に、この嵌入溝３に係止して差込体Ｂを嵌入溝３より抜け止め状態に保持する抜け止め係止部６を設けている。
【００５０】
具体的には、前記差込体Ｂに突起部６Ａを設けてこの突起部６Ａを前記抜け止め係止部６とし、前記金具本体Ａの前記嵌入溝３にこの抜け止め係止部６が係止する係止受部７を設けて、この差込体Ｂを前記嵌入溝３の前記雪止アングル２との前記隙間４に所定深さ差込した際に前記抜け止め係止部６が係止受部７に係止して差込体Ｂを嵌入溝３より抜け止め状態に保持する構成としている。
【００５１】
更に具体的には、この略Ｖ字状の差込体Ｂの折曲部を境にした片側（一方側）の板部分の途中部を段差状に折曲してこれを前記突起部６Ａとしている。
【００５２】
また、前記天板部13に位置する嵌入溝３の溝縁部を前記係止受部７として、この係止受部７に前記突起部６Ａが係止する構成としている。
【００５３】
また、本実施例では、前記差込体Ｂに、この差込体Ｂを前記嵌入溝３に生じる前記雪止アングル２との隙間４に所定深さ差込した際に、嵌入状態の雪止アングル２の嵌入溝３からの嵌脱を阻止するアングルストッパ部８を設けている。
【００５４】
具体的には、略Ｖ字状の差込体Ｂの折曲部を境にした片側（前記突起部６Ａのない他方側）の板部分を略Ｌ字形に折曲してこのＬ形板部を前記雪止アングル２に当接するアングル当接部10とすると共に、このアングル当接部10の先端側突出板部（水平板部）を、この差込体Ｂを前記嵌入溝３の前記雪止アングル２との前記隙間４に所定深さ差込した際に嵌入状態の雪止アングル２の嵌入溝３からの嵌脱を阻止する前記アングルストッパ部８としている。
【００５５】
更に具体的には、このアングル当接部10の先端側突出板部（水平板部）が、嵌入溝３に嵌入している雪止アングル２の、前記天板部13上に露出している他側（水平）板部の上方に位置して、雪止アングル２が上方へ嵌脱しようとした際には、このアングル当接部10の先端側突出板部（アングルストッパ部８）に雪止アングル２の他側板部が当接することで雪止アングル２は上動移動を阻止されて、雪止アングル２の嵌入状態（金具本体Ａへの固定状態）が保持される構成としている。
【００５６】
従って、この抜け止め係止部６とアングル当接部10（アングルストッパ部８）とを備えた本実施例の差込体Ｂは、金属製の板材９を折曲形成することで容易に設計実現可能である。また、板材９から形成するため、軽量・コンパクトで取り扱い性に秀れた差込体Ｂを安価に量産可能である。
【００５７】
また、本実施例では、金具本体Ａの前記天板部13に貫通孔を形成し、この貫通孔を、本雪止金具を使用するまで差込体Ｂを差し込んで仮置きしておくための仮置き孔15としている。
【００５８】
この仮置き孔15は、図３に示すように、前記嵌入溝３の溝幅より小さい孔幅を有し、断面略Ｖ字状の差込体Ｂを差込することで差込体Ｂが自身の弾性によって仮置き孔15の孔縁に圧接して位置決めされ、前記抜け止め係止部６を仮置き孔15の孔縁より下方に位置するまで深く差込むことで、仮置き孔15より差込体Ｂが上方へ抜け止め状態に保持される構成としている。
【００５９】
また、この仮置き孔15は、仮置きした差込体Ｂが前記締付ボルト14の邪魔とならないように、天板部13の端部位置に貫通形成している。
【００６０】
従って、金具本体Ａと差込体Ｂとを一緒にして保管，輸送などを行うことができるため、保管中や輸送中などに金具本体Ａと差込体Ｂとのどちらか一方を紛失してしまうような不都合を生じにくいことになる。
【００６１】
また、差込体Ｂの上部を摘んで差込先端部５を境にした両側の板部分の間隔を小さくすることで、抜け止め係止部６を仮置き孔15の孔縁から離反させて差込体Ｂを上方へ抜け脱することができる構成としている。尚、同様の操作により前記隙間４に差込した差込体Ｂを抜け脱させて雪止アングル２を嵌入溝３から取り外すこともできる。
【００６２】
次に、このように構成した本実施例の使用方法を説明する。
【００６３】
例えば、先ず、金具本体Ａ下部の取付部１としての各突合せ縁部11を折版構造屋根の凸条部20の両側に位置させ、締付ボルト14とナット14Ａとを締付挟持して金具本体Ａを折版構造屋根に取り付けする（図３参照。）。
【００６４】
次いで、この金具本体Ａの嵌入溝３に雪止アングル２を嵌入し、この際に生じている嵌入溝３の雪止アングル２との隙間４に、仮置き孔15から取り外した差込体Ｂを差込する。
【００６５】
具体的には、アングル当接部10を雪止アングル２側に向けて差込先端部５から隙間４に差込体Ｂを差込する（図４参照。）。
【００６６】
すると、差込体Ｂが深く差込まれるしたがって雪止アングル２と嵌入溝３とに強く圧接することになり、これによりアングル当接部10を介して差込体Ｂが圧接している雪止アングル２が嵌入溝３に圧着固定し、抜け止め係止部６が係止受部７に係止することで、差込体Ｂが隙間４より抜け止め状態に保持されて雪止アングル２の嵌入溝３への圧着固定状態が保持される（図５，図６参照。）。
【００６７】
しかも、この際、アングルストッパ部８が雪止アングル２の他側板部の上方に位置して雪止アングル２の上動嵌脱を阻止することになるので、極めて確固に雪止アングル２を固定できる。
【００６８】
従って、ボルト締めなどの操作を要することなく、単に、嵌入溝３の雪止アングル２との隙間４に差込体Ｂを差込して抜け止め係止部６を係止受部７に係止するだけの所謂ワンタッチ操作で雪止アングル２を金具本体Ａに確固に固定することができる。
【００６９】
従って、例えば、前記特許文献１のような従来の折版構造屋根用の雪止アングル固定金具にあっては、先ず、折版構造屋根に対して金具本体を固定するためのボルト締めを行った後に、別作業で雪止アングル固定のためのボルト締め作業を行わなければならないために、回動工具による回動作業に二度手間を要してしまうものであったが、本実施例によれば、例えば金具本体Ａを折版構造屋根に固定後（締付ボルト14の締付作業終了後）、嵌入溝３に生じる雪止アングル２との隙間４に差込体Ｂを手で押し込んだり、足で踏み入れたり、打撃工具などで打撃して差し込んだりするといった所謂ワンタッチ作業を行うことだけで雪止アングル２の固定作業が完了するので、この雪止アングル２の固定作業性が著しく向上することになる。
【００７０】
また、従来、金具本体を折版構造屋根に締付固定するための締付ボルトに、雪止アングルを押え込みする押え部材を設けて、締付ボルトによる金具本体の折版構造屋根への締付固定と同時に押え部材による雪止アングルの固定も行われる構造の雪止アングル固定金具も実施されており、このような構造の雪止アングル固定金具によれば、金具本体の折版構造屋根への固定も雪止アングルの固定も一度の締付ボルトの回動作業により行われるので、作業性に秀れるという利点がある。しかし、このような金具本体の締付ボルトに雪止アングルの押え部材が設けられる構造にあっては、作業者が押え部材を手で雪止アングルに押し付けながらボルト締め（金具本体の折版構造屋根への固定）作業を行うため、どちらかの締付が甘くなってしまう可能性があり、もし仮に金具本体の締付力が甘くなってしまうと、雪止アングルに荷重が加わった際に重大な過失が生じる懸念がある。
【００７１】
この点、本実施例によれば、雪止アングル２を金具本体Ａの固定構造とは別の手段（差込体Ｂ）によりしっかりと固定するため、金具本体Ａの折版構造屋根への固定も、雪止アングル２の金具本体Ａ（嵌入溝３）への固定も確固に行われることになる。
【実施例２】
【００７２】
本発明の具体的な実施例２について図７に基づいて説明する。
【００７３】
本実施例は、前記実施例１において、差込体Ｂを前記隙間４に差込した際に、差込体Ｂが雪止アングル２に圧接しないように構成した場合である。
【００７４】
具体的には、差込体Ｂの前記差込先端部５を境にした両側の板部分の間隔を前記実施例１のそれに比して小さい間隔となるように前記板材９を折曲形成することで、この差込体Ｂを前記隙間４に深く差し込んでも差込体Ｂが雪止アングル２に圧接しない構成としている。
【００７５】
また、この際、差込体Ｂの抜け止め係止部６は、前記実施例１のそれと同等の機能を発揮するように構成し、この抜け止め係止部６による差込体Ｂの抜け止め状態の維持により前記アングルストッパ部８が雪止アングル２を嵌入溝３より嵌脱不能状態に保持固定する構成としている。
【００７６】
他の構成は、前記実施例１と同様である。
【実施例３】
【００７７】
本発明の具体的な実施例３について図８に基づいて説明する。
【００７８】
本実施例は、前記実施例１において、差込体Ｂの形状を異ならせた場合である。
【００７９】
具体的には、本実施例の差込体Ｂは、差込先端部５付近の両側の板部分が重合せずに略Ｖ字状となる形状に形成した場合を示している。
【００８０】
他の構成は、前記実施例１と同様である。
【実施例４】
【００８１】
本発明の具体的な実施例４について図９に基づいて説明する。
【００８２】
本実施例も、前記実施例１において、差込体Ｂの形状を異ならせた場合である。
【００８３】
具体的には、本実施例の差込体Ｂは、差込先端部５を断面コ字状に折曲形成した場合を示している。
【００８４】
他の構成は、前記実施例１と同様である。
【実施例５】
【００８５】
本発明の具体的な実施例５について図１０に基づいて説明する。
【００８６】
本実施例も、前記実施例１において、差込体Ｂの形状を異ならせた場合である。
【００８７】
具体的には、本実施例の差込体Ｂは、金属製の帯板材９をＬ字状に折曲することで前記アングル当接部10を形成すると共に、その折曲部から所定範囲を板材９の長さ方向に沿って左右に分断し、このうち一方の分断板部９Ａの根元を折曲して他方の板部分に対し斜設状態とすることで略Ｖ字状に形成し、この斜設する分断板部９Ａの途中部を段差形状に形成することでこの段差部分を前記抜け止め係止部６（突起部６Ａ）とし、分断板部９Ａ根元側の先細端部を前記差込先端部５とした場合を示している。
【００８８】
他の構成は、前記実施例１と同様である。
【実施例６】
【００８９】
本発明の具体的な実施例６について図１１に基づいて説明する。
【００９０】
本実施例も、前記実施例１において、差込体Ｂの形状を異ならせた場合である。
【００９１】
具体的には、本実施例の差込体Ｂは、二枚の金属製帯板材９の夫々の一端部同士を接合して、前記実施例１と同等の形状の差込体Ｂを形成した場合を示している。
【００９２】
他の構成は、前記実施例１と同様である。
【実施例７】
【００９３】
本発明の具体的な実施例７について図１２に基づいて説明する。
【００９４】
本実施例も、前記実施例１において、差込体Ｂの形状を異ならせた場合である。
【００９５】
具体的には、本実施例の差込体Ｂは、略Ｖ字状の差込体Ｂの折曲部を境にした片側（一方側）の板部分の途中部を丸形に突出する突起形状に折曲してこれを前記抜け止め係止部６（突起部６Ａ）とした場合を示している。
【００９６】
他の構成は、前記実施例１と同様である。
【実施例８】
【００９７】
本発明の具体的な実施例８について図１３に基づいて説明する。
【００９８】
本実施例も、前記実施例１において、差込体Ｂの形状を異ならせた場合である。
【００９９】
具体的には、本実施例の差込体Ｂは、略Ｖ字状の差込体Ｂの折曲部を境にした片側（一方側）の板部分の途中部に半球形の突体16を付設してこの突体16を前記抜け止め係止部６（突起部６Ａ）とした場合を示している。
【０１００】
他の構成は、前記実施例１と同様である。
【実施例９】
【０１０１】
本発明の具体的な実施例９について図１４に基づいて説明する。
【０１０２】
本実施例は、前記実施例１において、抜け止め用係止部６と、係止受部７との係止構造を異ならせた場合である。
【０１０３】
具体的には、本実施例では、嵌入溝３に抜け止め用係止部６を設け、この抜け止め用係止部６が係止する係止受部７を差込体Ｂに設けた場合である。
【０１０４】
更に具体的には、本実施例の差込体Ｂは、略Ｖ字状の差込体Ｂの折曲部を境にした片側（一方側）の板部分の途中部に貫通孔17を形成してこの貫通孔17を前記係止受部７とし、一方、この係止受部７に係止する抜け止め係止部６としての適宜な突起部６Ａ（図示省略）を嵌入溝３に形成した場合を示している。
【０１０５】
他の構成は、前記実施例１と同様である。
【実施例１０】
【０１０６】
本発明の具体的な実施例１０について図１５に基づいて説明する。
【０１０７】
本実施例も、前記実施例１において、差込体Ｂの形状を異ならせた場合である。
【０１０８】
具体的には、本実施例の差込体Ｂは、略Ｖ字状の差込体Ｂの折曲部を境にした片側（一方側）の板部分の途中部に切り出し片18を切り出し形成すると共に、この切り出し片18を外方へ折曲形成することでこの切り出し片18を前記抜け止め係止部６（突起部６Ａ）とした場合を示している。
【０１０９】
他の構成は、前記実施例１と同様である。
【実施例１１】
【０１１０】
本発明の具体的な実施例１１について図１６に基づいて説明する。
【０１１１】
本実施例も、前記実施例１において、差込体Ｂの形状を異ならせた場合である。
【０１１２】
具体的には、本実施例の差込体Ｂは、前記実施例１において、略Ｖ字状の差込体Ｂの折曲部を境にした片側（一方側）の板部分の、前記抜け止め係止部６たる段差部より嵌入基端側をなくした形状に形成した場合を示している。
【０１１３】
他の構成は、前記実施例１と同様である。
【実施例１２】
【０１１４】
本発明の具体的な実施例１２について図１７に基づいて説明する。
【０１１５】
本実施例も、前記実施例１において、差込体Ｂの形状を異ならせた場合である。
【０１１６】
具体的には、本実施例の差込体Ｂは、略Ｖ字状の差込体Ｂの折曲部を境にした片側（一方側）の板部分の途中部に角形の突体19を付設してこの突体19を前記抜け止め係止部６（突起部６Ａ）とした場合を示している。
【０１１７】
他の構成は、前記実施例１と同様である。
【０１１８】
尚、本発明は、実施例１〜１２に限られるものではなく、各構成要件の具体的構成は適宜設計し得るものである。
【０１１９】
また、実施例３〜１２は、実施例１と同様の構成を採用した場合を示したが、実施例２と同様に、差込体Ｂを隙間４に差込した際に、この差込体Ｂが雪止アングル２に圧接しない構成を採用しても良い。
【図面の簡単な説明】
【０１２０】
【図１】実施例１の使用状態を示す斜視図である。
【図２】実施例１の分解斜視図である。
【図３】実施例１の金具本体を折版構造屋根の凸条部に取付し、嵌入溝に雪止アングルを嵌入した状態を示す説明側面図である。
【図４】図３の状態から、仮置き孔より差込体を取り外し、嵌入溝に生じている雪止アングルとの隙間に差込体を差込しようとする状態を示す説明側面図である。
【図５】図４の状態から、隙間に差込体を差込した状態を示す説明側面図である。
【図６】図５の状態から、差込体を更に深く差し込みして抜け止め係止部を係止受部に係止した状態を示す説明側断面図である。
【図７】実施例２の使用状態を示す説明側断面図である。
【図８】実施例３の差込体を示す説明図である。
【図９】実施例４の差込体を示す説明図である。
【図１０】実施例５の差込体を示す説明図である。
【図１１】実施例６の差込体を示す説明図である。
【図１２】実施例７の差込体を示す説明図である。
【図１３】実施例８の差込体を示す説明図である。
【図１４】実施例９の差込体を示す説明図である。
【図１５】実施例１０の差込体を示す説明図である。
【図１６】実施例１１の差込体を示す説明図である。
【図１７】実施例１２の差込体を示す説明図である。
【符号の説明】
【０１２１】
１  取付部
２  雪止アングル
３  嵌入溝
４  隙間
５  差込先端部
６  抜け止め係止部
６Ａ  突起部
７  係止受部
８  アングルストッパ部
９  板材
10  アングル当接部
Ａ  金具本体
Ｂ  差込体
【図１】
0004717036.tif 000002
【図２】
0004717036.tif 000003
【図３】
0004717036.tif 000004
【図４】
0004717036.tif 000005
【図５】
0004717036.tif 000006
【図６】
0004717036.tif 000007
【図７】
0004717036.tif 000008
【図８】
0004717036.tif 000009
【図９】
0004717036.tif 000010
【図１０】
0004717036.tif 000011
【図１１】
0004717036.tif 000012
【図１２】
0004717036.tif 000013
【図１３】
0004717036.tif 000014
【図１４】
0004717036.tif 000015
【図１５】
0004717036.tif 000016
【図１６】
0004717036.tif 000017
【図１７】
0004717036.tif 000018